(57)【要約】【課題】電動機のステータの巻線への接続を容易に行うことが可能な集配電リング、及びこの集配電リングを備えた電動機を提供する。【解決手段】集配電リング１０は、環状に配置された複数のティース１１０に巻き回された巻線１１１，１１２，１１３に対して集配電を行う第１乃至第４のバスリング２１〜２４と、第１乃至第４のバスリング２１〜２４を保持する保持部材３とを備え、第１乃至第４のバスリング２１〜２４は、巻線１１１，１１２，１１３が接続される接続部が形成された端子２１１，２２１，２３１，２４１〜２４３を周方向の複数箇所に有し、保持部材３は、巻線１１１，１１２，１１３の端部を端子２１１，２２１，２３１，２４１〜２４３の接続部に案内するガイド部３１〜３４，４１〜４４を有する。【選択図】図６
2014003842.tif 000002
【特許請求の範囲】
【請求項１】
環状に配置された複数のティースに巻線を巻き回してなるステータの前記巻線に対して集配電を行う環状の複数のバスリングと、
前記複数のバスリングを保持する保持部材とを備え、
前記バスリングは、前記巻線が接続される接続部が形成された端子を周方向の複数箇所に有し、
前記保持部材は、前記巻線の端部を前記端子の前記接続部に案内するガイド部を有する
集配電リング。
【請求項２】
前記ガイド部は、前記巻線の端部が導入される一方の開口における開口幅が、前記巻線の端部が導出される他方の開口における開口幅よりも広い、
請求項１に記載の集配電リング。
【請求項３】
前記ガイド部は、前記一方の開口側におけるテーパ部と、前記他方の開口側におけるストレート部とを有し、
前記テーパ部は、前記一方の開口から前記ストレート部に向かって前記巻線に対向する内面の幅が徐々に狭くなり、
前記ストレート部は、前記巻線に対向する内面が前記バスリングの軸方向に沿った直線状に形成されている、
請求項２に記載の集配電リング。
【請求項４】
前記端子は、前記接続部が板状の導電体を屈曲して前記巻線の端部を挟む形状に形成されると共に、前記接続部を加締めることにより前記巻線と電気的に接続され、
前記ガイド部は、前記他方の開口における開口幅が前記接続部の加締め前における幅よりも狭い、
請求項２又は３に記載の集配電リング。
【請求項５】
前記ガイド部の前記他方の開口と前記接続部との間に隙間が形成されている、
請求項２乃至４の何れか１項に記載の集配電リング。
【請求項６】
請求項１乃至５の何れか１項に記載の集配電リングと、
前記ステータと、
前記巻線の磁界によって前記ステータに対して回転するロータとを備えた
電動機。
【発明の詳細な説明】
【技術分野】
【０００１】
本発明は、集配電リング及び電動機に関する。
【背景技術】
【０００２】
従来、例えば三相交流モータにおけるステータの巻線に、モータ電流を集配電（集電及び配電）する集配電リングが知られている（例えば、特許文献１参照）。
【０００３】
特許文献１に記載の電動機は、Ｕ相，Ｖ相，Ｗ相の給電のための３つの環状給電部材を有し、これら３つの環状給電部材が一括して環状の保持部材に保持されている。各環状給電部材は、板状の金属部品を所定形状に曲げ加工して形成された複数の円弧状部材を環状に連結して構成されている。円弧状部材の両端部には、それぞれフック状のコイル接続部が形成され、このコイル接続部にモータ巻線の端部が加締めによって接続されている。
【先行技術文献】
【特許文献】
【０００４】
【特許文献１】特開２０１０−２３９７７１号公報
【発明の概要】
【発明が解決しようとする課題】
【０００５】
これら３つの環状給電部材をモータのステータに組み付ける際には、各環状給電部材にそれぞれ形成された複数のコイル接続部にモータ巻線の端部を挿通させる必要がある。３つの環状給電部材は、一括して環状の保持部材に保持されているので、コイル接続部にモータ巻線の端部を挿通させる作業は、複数（特許文献１に記載のものでは１８個）のコイル接続部に対して同時に行わなければならない。
【０００６】
すなわち、複数のコイル接続部のうち１つのコイル接続部にモータ巻線の端部を挿入することができなかった場合でも、作業全体のやり直しが発生するので、ステータの巻線との接続作業が困難性を伴うものとなっていた。
【０００７】
そこで、本発明は、電動機のステータの巻線への接続を容易に行うことが可能な集配電リング、及びこの集配電リングを備えた電動機を提供することを目的とする。
【課題を解決するための手段】
【０００８】
本発明は、上記課題を解決することを目的として、環状に配置された複数のティースに巻線を巻き回してなるステータの前記巻線に対して集配電を行う環状の複数のバスリングと、前記複数のバスリングを保持する保持部材とを備え、前記バスリングは、前記巻線が接続される接続部が形成された端子を周方向の複数箇所に有し、前記保持部材は、前記巻線の端部を前記端子の前記接続部に案内するガイド部を有する集配電リングを提供する。
【０００９】
また、前記ガイド部は、前記巻線の端部が導入される一方の開口における開口幅が、前記巻線の端部が導出される他方の開口における開口幅よりも広いとよい。
【００１０】
また、前記ガイド部は、前記一方の開口側におけるテーパ部と、前記他方の開口側におけるストレート部とを有し、前記テーパ部は、前記一方の開口から前記ストレート部に向かって前記巻線に対向する内面の幅が徐々に狭くなり、前記ストレート部は、前記巻線に対向する内面が前記バスリングの軸方向に沿った直線状に形成されているとよい。
【００１１】
また、前記端子は、前記接続部が板状の導電体を屈曲して前記巻線の端部を挟む形状に形成されると共に、前記接続部を加締めることにより前記巻線と電気的に接続され、前記ガイド部は、前記他方の開口における開口幅が前記接続部の加締め前における幅よりも狭いとよい。
【００１２】
また、前記ガイド部の前記他方の開口と前記接続部との間に隙間が形成されているとよい。
【００１３】
また、本発明は、上記課題を解決することを目的として、上記の集配電リングと、前記ステータと、前記巻線の磁界によって前記ステータに対して回転するロータとを備えた電動機を提供する。
【発明の効果】
【００１４】
本発明に係る集配電リング及び電動機によれば、電動機のステータの巻線への集配電リングの接続を容易に行うことが可能となる。
【図面の簡単な説明】
【００１５】
【図１】本発明の実施の形態に係る集配電リング、及びこれを備えた電動機の構成例を示す説明図である。
【図２】保持部材を示し、（ａ）は平面図、（ｂ）は（ａ）の部分拡大図、（ｃ）は（ａ）のＡ−Ａ線断面斜視図である。
【図３】第１乃至第４のバスリングを示し、（ａ）は平面図、（ｂ）は保持部材に収容された第１乃至第４のバスリングを示す断面図である。
【図４】端子及びその周辺部を示す斜視図である。
【図５】円弧状導電体を示し、（ａ）は斜視図、（ｂ）は第４のバスリングの軸方向から見た平面図である。
【図６】ガイド部を示し、（ａ）は図２のＢ−Ｂ線断面図、（ｂ）は（ａ）において端子及び巻線の端部の図示を追加した説明図である。
【図７】ガイド部及びその周辺部を端面側から見た平面図である。
【図８】（ａ）は、第２の実施の形態に係る集配電リングを示す斜視図、（ｂ）はガイド部の斜視図、（ｃ）はガイド部の側面図である。
【発明を実施するための形態】
【００１６】
［第１の実施の形態］
本発明の第１の実施の形態について、図１乃至図７を参照して説明する。
【００１７】
図１は、本発明の実施の形態に係る集配電リング、及びこれを備えた電動機の構成例を示す説明図である。
【００１８】
この電動機１は、ステータ１１と、ロータ１２と、ステータ１１にモータ電流を集電及び配電する集配電リング１０とを備えている。なお、電動機１は、集配電リング１０とステータ１１とがロータ１２の回転軸線に沿って並んでいるが、図１では、便宜上、ステータ１１を集配電リング１０の内側に図示している。
【００１９】
ステータ１１は、環状に配置された磁性材料からなる複数のティース１１０に、例えばエナメル塗装によって絶縁被覆された複数相の巻線１１１，１１２，１１３を巻き回してなる。各ティース１１０には、Ｕ相の巻線１１１、Ｖ相の巻線１１２、又はＷ相の巻線１１３が巻き回されている。本実施の形態では、巻線１１１，１１２，１１３が断面矩形状の平角電線である場合について説明するが、巻線１１１，１１２，１１３は断面円形の丸電線であってもよい。
【００２０】
集配電リング１０は、巻線１１１，１１２，１１３に対して集配電を行う第１乃至第４のバスリング２１〜２４と、第１乃至第４のバスリング２１〜２４を保持する保持部材３とを備えている。第１乃至第３のバスリング２１〜２３には、その周方向の１箇所に給電端子２１ａ，２２ａ，２３ａが設けられている。給電端子２１ａ，２２ａ，２３ａは、第１乃至第３のバスリング２１〜２３の径方向の外側に突出し、図略のインバータの出力端子に接続される。
【００２１】
第１乃至第３のバスリング２１〜２３は、インバータから出力されるモータ電流を電動機１のＵ相，Ｖ相，Ｗ相の各巻線１１１，１１２，１１３にそれぞれ配電する。第４のバスリング２４は、ステータ１１の中性相として、各巻線１１１，１１２，１１３のそれぞれの一端が接続されている。
【００２２】
Ｕ相の巻線１１１の一方の端部１１１ａは、第１のバスリング２１に電気的に接続されている。Ｕ相の巻線１１１の他方の端部１１１ｂは、第４のバスリング２４に電気的に接続されている。同様に、Ｖ相及びＷ相の巻線１１２，１１３の一方の端部１１２ａ，１１３ａは、第２及び第３のバスリング２２，２３に電気的に接続され、巻線１１２，１２３の他方の端部１１２ｂ，１１３ｂは、第４のバスリング２４に電気的に接続されている。
【００２３】
ロータ１２は、図略の軸受によってステータ１１と同軸上で回転可能に支持されたロータコア１２０と、ロータコア１２０の外周面に固定された複数の磁極を有する磁石１２１とを有している。
【００２４】
Ｕ相，Ｖ相，Ｗ相の各巻線１１１，１１２，１１３には、図略のインバータから位相が互いに１２０°ずれた正弦波状のモータ電流が供給され、ステータ１１に回転磁界を形成する。ロータ１２は、磁石１２１がこの回転磁界による引力及び斥力により回転力を受け、この回転力によってステータ１１に対して回転する。
【００２５】
（保持部材の構成）
図２は、保持部材３を示し、（ａ）は平面図、（ｂ）は（ａ）の部分拡大図、（ｃ）は（ａ）のＡ−Ａ線断面斜視図である。
【００２６】
保持部材３は、例えば射出成型された樹脂からなるリング状の樹脂からなり、第１乃至第４のバスリング２１〜２４を収容する収容空間を有する断面コ字状に形成されている。保持部材３は、その底壁３００に、第１のバスリング２１に対応して形成された複数の第１の突起３０１を有している。複数の第１の突起３０１は、それぞれが円弧状であり、第１のバスリング２１に沿って形成されている。また、保持部材３は、底壁３００に、第２及び第３のバスリング２２，２３に対応して形成された円弧状の複数の第２及び第３の突起３０２，３０３を有している。
【００２７】
複数の第１乃至第３の突起３０１〜３０３は、同心円状に形成され、複数の第２の突起３０２は複数の第１の突起３０１の外側に、複数の第３の突起３０３は複数の第２の突起３０２の外側に、それぞれ形成されている。また、複数の第１乃至第３の突起３０１〜３０３は、底壁３００における保持部材３の底面３００ａから突出し、底面３００ａと第１乃至第３のバスリング２１〜２３の沿面距離を増大させている。
【００２８】
また、保持部材３には、第４のバスリング２４の一部を収容し、第４のバスリング２４を保持するための複数の保持溝３０４が形成されている。複数の保持溝３０４は、それぞれが円弧状であり、保持部材３の軸方向に沿って底面３００ａ側に向かって窪むように形成されている。本実施の形態では、複数の保持溝３０４が、複数の第１乃至第３の突起３０１〜３０３の内周側に形成されている。
【００２９】
また、保持部材３は、底壁３００の内周側及び外周側の端部から底面３００ａに直交する方向に突出した内壁３０５及び外壁３０６を有している。内壁３０５は、保持溝３０４における内周面を構成している。外壁３０６は、第３の突起３０３に連続して形成されている。
【００３０】
また、保持部材３は、巻線１１１，１１２，１１３の一方の端部１１１ａ，１１２ａ，１１３ａを後述する第１乃至第３のバスリング２１〜２３の端子２１１，２２１，２３１の接続部に案内するガイド部３１，３２，３３、及び巻線１１１，１１２，１１３の他方の端部１１１ｂ，１１２ｂ，１１３ｂを後述する第４のバスリング２４の端子２４１，２４２，２４３の接続部に案内するガイド部３４を有している。本実施の形態では、保持部材３が、ガイド部３１，３２，３３を８個ずつ有すると共に、２４個のガイド部３４を有している。
【００３１】
ガイド部３１には、巻線１１１の一方の端部１１１ａを挿通させる挿通孔３１０が形成されている。同様に、ガイド部３２，３３には、巻線１１２，１１３の一方の端部１１２ａ，１１３ａを挿通させる挿通孔３２０，３３０が形成されている。また同様に、ガイド部３４には、巻線１１１，１１２，１１３の他方の端部１１１ｂ，１１２ｂ，１１３ｂを挿通させる挿通孔３４０が形成されている。ガイド部３１〜３４の構成の詳細については後述する。
【００３２】
また、保持部材３は、給電端子２１ａ，２２ａ，２３ａを収容する給電端子保持部３１ａ，３２ａ，３３ａと、第１のバスリング２１の収容空間と第２のバスリング２２の収容空間とを区画する複数の区画壁３０７と、第２のバスリング２２の収容空間と第３のバスリング２３の収容空間とを区画する複数の区画壁３０８とを有している。
【００３３】
（第１乃至第４のバスリングの構成）
図３は、第１乃至第４のバスリング２１〜２４を示し、（ａ）は平面図、（ｂ）は保持部材３に収容された第１乃至第４のバスリング２１〜２４を保持部材３と共に示す断面図である。
【００３４】
第１のバスリング２１は、環状の電線２１０と、電線２１０の周方向の複数箇所に配置された端子２１１と、給電端子２１ａとを有している。電線２１０の両端は、給電端子２１ａに加締め固定されている。電線２１０は、断面円形の丸電線であり、銅等の良導電性を有する金属からなる導体２１０ａ、及び導体２１０ａを被覆する絶縁性の樹脂からなる絶縁体２１０ｂからなる。端子２１１と電線２１０との接続箇所では絶縁体２１０ｂが除去され、露出した導体２１０ａに端子２１１の一端が加締めによって固定されている。
【００３５】
同様に、第２のバスリング２２は、環状の電線２２０と、電線２２０の周方向の複数箇所に配置された端子２２１と、給電端子２２ａとを有し、電線２２０の両端が給電端子２２ａに加締め固定されている。また、第３のバスリング２３は、環状の電線２３０と、電線２３０の周方向の複数箇所に配置された端子２３１と、給電端子２３ａとを有し、電線２２０の両端が給電端子２２ａに加締め固定されている。電線２２０，２３０は、導体２２０ａ，２３０ａ、及び導体２２０ａ，２３０ａを被覆する絶縁性の樹脂からなる絶縁体２２０ｂ，２３０ｂからなり、絶縁体２２０ｂ，２３０ｂが除去されて露出した導体２２０ａ，２３０ａに端子２２１，２３１が加締めにより固定されている。
【００３６】
端子２１１，２２１，２３１には、保持部材３のガイド部３１，３２，３３の挿通孔３１０，３２０，３３０を挿通した巻線１１１，１１２，１１３の一方の端部１１１ａ，１１２ａ，１１３ａがそれぞれ接続される。
【００３７】
第４のバスリング２４は、円弧状に形成された複数の円弧状導電体２４Ａからなる。本実施の形態では、第４のバスリング２４が８個の円弧状導電体２４Ａからなり、全体として環状に構成されている。
【００３８】
円弧状導電体２４Ａは、円弧状に屈曲された本体２４０と、本体２４０の周方向の複数箇所（３箇所）に設けられ、第４のバスリング２４の径方向に突出した複数（３つ）の端子２４１，２４２，２４３とを一体に有している。円弧状導電体２４Ａの構成の詳細については後述する。
【００３９】
第１乃至第４のバスリング２１〜２４は、同心状に配置され、第４のバスリング２４が最も内側に、第３のバスリング２３が最も外側に配置されている。第１のバスリング２１は第４のバスリング２４の外側に配置され、第２のバスリング２２は第１のバスリング２１と第３のバスリング２３との間に配置されている。
【００４０】
第１乃至第３のバスリング２１〜２３の端子２１１，２２１，２３１は、電線２１０，２２０，２３０の径方向内側に突出し、第４のバスリング２４の端子２４１，２４２，２４３は、本体２４０の径方向外側に突出している。ガイド部３１〜３４は、電線２１０の内周側であって円弧状導電体２４Ａの本体２４０の外周側に設けられている。
【００４１】
端子２１１，２２１，２３１は、同様に構成されているので、端子２２１を例にとってその構成を詳細に説明する。
【００４２】
図４は、端子２２１及びその周辺部を示す斜視図である。端子２２１は、板状の導電体を屈曲して形成され、電線２２０の導体２２０ａに接続される第１の接続部２２１ａと、巻線１１２の一方の端部１１２ａに接続される第２の接続部２２１ｃと、第１の接続部２２１ａ及び第２の接続部２２１ｃを連結する連結部２２１ｂとを一体に有している。
【００４３】
連結部２２１ｂは、第１の接続部２２１ａから電線２２０に沿って延びる第１連結部２２１ｂ１と、第１連結部２２１ｂ１の端部から第２のバスリング２２の軸方向に平行に延びる第２連結部２２１ｂ２と、第２連結部２２１ｂ２の端部から第２のバスリング２２の径方向に沿って内方に延びる第３連結部２２１ｂ３とからなる。第２の接続部２２１ｃは、第３連結部２２１ｂ３に連続して設けられ、巻線１１２の一方の端部１１２ａを囲むようにＵ字状に形成されている。
【００４４】
端子２２１は、第１の接続部２２１ａが電線２２０の導体２２０ａに加締め固定されると共に、第２の接続部２２１ｃが巻線１１２の一方の端部１１２ａに加締めによって固定されることにより、導体２２０ａと巻線１１２とを電気的に接続する。つまり、端子２２１は、第２の接続部２２１ｃを加締めることにより、巻線１１２の一方の端部１１２ａと電気的に接続される。この第２の接続部２２１ｃは、本発明の「接続部」に相当する。
【００４５】
図５は、円弧状導電体２４Ａを示し、（ａ）は斜視図、（ｂ）は第４のバスリング２４の軸方向から見た平面図である。円弧状導電体２４Ａは、銅等の良導電性の金属からなる金属板を打ち抜き加工して得られた板状の導電体を曲げ加工により屈曲して形成されている。
【００４６】
円弧状導電体２４Ａの本体２４０は、２箇所の屈曲部２４０ａで屈曲され、円弧状に形成されている。端子２４１は本体２４０の周方向の中央部に、端子２４２，２４３は本体２４０の両端部に設けられている。
【００４７】
端子２４１は、本体２４０から第４のバスリング２４の軸方向に平行に延びる第１連結部２４１ａと、第１連結部２４１ａの端部から本体２４０に沿って延びる第２連結部２４１ｂと、第２連結部２４１ｂの端部から第４のバスリング２４の径方向の外方に突出してＵ字状に形成された接続部２４１ｃとを有している。
【００４８】
同様に、端子２４２，２４３は、本体２４０から第４のバスリング２４の軸方向に平行に延びる第１連結部２４２ａ，２４３ａと、第１連結部２４２ａ，２４３ａの端部から本体２４０に沿って延びる第２連結部２４２ｂ，２４３ｂと、第２連結部２４２ｂ，２４３ｂの端部から第４のバスリング２４の径方向の外方に突出してＵ字状に形成された接続部２４２ｃ，２４３ｃとを有している。
【００４９】
端子２４１，２４２，２４３は、接続部２４１ｃ，２４２ｃ，２４３ｃを加締めることにより、巻線１１１，１１２，１１３の端部１１１ｂ，１１２ｂ，１１３ｂと電気的に接続される。
【００５０】
円弧状導電体２４Ａは、本体２４０が保持溝３０４に収容されて（図２及び図３参照）保持部材３に保持される。端子２４１，２４２，２４３は、保持溝３０４の外部に位置し、接続部２４１ｃ，２４２ｃ，２４３ｃが挿通孔３４０の延伸方向においてガイド部３４と対向する。接続部２４１ｃ，２４２ｃ，２４３ｃとガイド部３４との間には所定の隙間が形成される。
【００５１】
（ガイド部の構成）
図６は、ガイド部３４を示し、（ａ）は図２のＢ−Ｂ線断面図、（ｂ）は（ａ）において端子２４２及び巻線１１２の端部１１２ｂの図示を追加した説明図である。
【００５２】
挿通孔３４０は、ガイド部３４を底壁３００の厚さ方向（保持部材３の軸方向）に貫通している。巻線１１２の端部１１２ｂは、挿通孔３４０の一方の開口３４ａから他方の開口３４ｂに向かって挿通孔３４０に導入され、他方の開口３４ｂから突出する。本実施の形態では、挿通孔３４０の長さ方向の寸法が底壁３００の厚さ寸法よりも長く、かつ内壁３０５及び外壁３０６の幅方向（保持部材３の軸方向）の寸法よりも短く設定されている。図６に示す例では、挿通孔３４０の長さ方向の寸法が、内壁３０５及び外壁３０６の幅方向の寸法の２分の１よりも長く設定されている。
【００５３】
ガイド部３４は、一方の開口３４ａ側におけるテーパ部３４１と、他方の開口３４ｂ側におけるストレート部３４２とを有している。テーパ部３４１及びストレート部３４２は、挿通孔３４０に沿って互いに連通している。
【００５４】
テーパ部３４１は、一方の開口３４ａからストレート部３４２に向かって、巻線１１２に対向する内面３４１ａの幅が徐々に狭くなる漏斗状に形成されている。ストレート部３４２は、巻線１１２に対向する内面３４２ａが第４のバスリング２４の軸方向に沿った直線状に形成されている。
【００５５】
ガイド部３４の一方の開口３４ａにおける開口幅ｗ１は、他方の開口３４ｂにおける開口幅ｗ２よりも広く形成されている（ｗ１＞ｗ２）。ストレート部３４２における挿通孔３４０の幅（保持部材３の径方向の幅）は、開口幅ｗ１で一定である。テーパ部３４１における挿通孔３４０の同方向の幅は、開口幅ｗ１から開口幅ｗ２まで一定の割合で変化する。
【００５６】
なお、図６では、保持部材３の径方向に沿った断面におけるガイド部３４の形状を示しているが、保持部材３の周方向に沿った断面においてもテーパ部３４１及びストレート部３４２が同様に形成されている。すなわち、保持部材３の周方向における一方の開口３４ａの開口幅は、他方の開口３４ｂの同方向における開口幅よりも広く形成されている。
【００５７】
図６（ｂ）に示すように、ガイド部３４の他方の開口３４ｂと端子２４２の接続部２４２ｃとの間には、挿通孔３４０の延伸方向に沿った方向における隙間Ｓ１が形成されている。すなわち、ガイド部３４の他方の開口３４ｂ側の端面３４ｃは、隙間Ｓ１を介して接続部２４２ｃに対向している。隙間Ｓ１の距離ｄ１は、例えば０．５ｍｍ以上である。距離ｄ１の望ましい範囲は、１〜５ｍｍ（１ｍｍ以上５ｍｍ以下）である。
【００５８】
図７は、ガイド部３４及びその周辺部を端面３４ｃ側から見た平面図である。
【００５９】
端子２４２の接続部２４２ｃは、板状の導電体を屈曲して形成されたＵ字状であり、挿通孔３４０から突出した巻線１１２の端部１１２ｂを三方向から囲むように構成されている。接続部２４２ｃは、保持部材３の周方向に互いに対向する平板状の第１板部２４２ｃ１及び第２板部２４２ｃ２と、第１板部２４２ｃ１と第２板部２４２ｃ２との間における円弧状の湾曲部２４２ｃ３とからなる。このように、接続部２４２ｃは、第１板部２４２ｃ１と第２板部２４２ｃ２との間に巻線１１２の端部１１２ｂを挟む形状に形成されている。
【００６０】
保持部材３の周方向におけるガイド部３４の開口３４ｂの開口幅ｗ４は、第１板部２４２ｃ１と第２板部２４２ｃ２との間における接続部２４２ｃの幅ｗ３（第１板部２４２ｃ１と第２板部２４２ｃ２との対向面間の幅）よりも狭い（ｗ４＜ｗ３）。また、保持部材３の径方向における開口３４ｂの開口幅ｗ６（＝ｗ２）は、湾曲部２４２ｃ３と第２連結部２４２ｂとの間の同方向の間隔ｗ５よりも狭い（ｗ６＜ｗ５）。これにより、端子２４２の接続部２４２ｃは、ガイド部３４の端面３４ｃと挿通孔３４０の延伸方向に対向し、開口３４ｂとは対向しないように構成されている。
【００６１】
なお、テーパ部３４１及びストレート部３４２は、必ずしも巻線１１２の端部１１２ｂの全周を囲むように形成されていなくともよく、周方向の一部が切り欠かれていてもよい。この場合、第１乃至第３のバスリング２１〜２３との沿面距離を確保するため、保持部材３の径方向の内側にあたる部分が切り欠かれているとよい。
【００６２】
また、保持部材３のガイド部３１，３２，３３も、ガイド部３４と同様に、テーパ部及びストレート部を有して形成されている。ただし、その周方向に一部を切り欠き形成する場合、第４のバスリング２４（円弧状導電体２４Ａ）との沿面距離を確保するため、保持部材３の径方向の外側にあたる部分が切り欠かれているとよい。図２（ｂ）では、ガイド部３１，３２，３３における保持部材３の径方向の外側にあたる部分が切り欠かれた場合を示している。
【００６３】
以上のように構成された電動機１は、図略のインバータに給電端子２１ａ，２２ａ，２３ａが接続され、第１乃至第３のバスリング２１〜２３の端子２１１，２２１，２３１を介して巻線１１１，１１２，１１３の一方の端部１１１ａ，１１２ａ，１１３ａにインバータから出力された三相交流電流が供給される。巻線１１１，１１２，１１３の他方の端部１１１ｂ，１１２ｂ，１１３ｂは、中性相としての第４のバスリング２４に接続され、巻線１１１，１１２，１１３に三相交流電流による回転磁界が発生することにより、ロータ１２がステータ１１に対して回転する。
【００６４】
（第１の実施の形態の作用及び効果）
以上説明した第１の実施の形態によれば、以下に述べる作用及び効果が得られる。
【００６５】
（１）巻線１１１，１１２，１１３の一方の端部１１１ａ，１１２ａ，１１３ａが保持部材３のガイド部３１〜３３によって端子２１１，２２１，２３１の接続部に案内されると共に、他方の端部１１１ｂ，１１２ｂ，１１３ｂがガイド部３４によって第４のバスリング２４（円弧状導電体２４Ａ）の端子２４１，２４２，２４３の接続部２４１ｃ，２４２ｃ，２４３ｃに案内される。これにより、保持部材３がガイド部３１〜３４を有しない場合に比較して、集配電リング１０の第１乃至第４のバスリング２１〜２４を電動機１のステータ１１の巻線１１１，１１２，１１３に接続する作業が容易となる。
【００６６】
（２）ガイド部３４は、巻線１１２の端部１１２ｂが導入される一方の開口３４ａにおける開口幅が他方の開口３４ｂにおける開口幅よりも広く形成されているので、例えば両開口３４ａ，３４ｂの開口幅が同一である場合に比較して、挿通孔３４０に巻線１１２の端部１１２ｂを挿入する作業が容易となる。なお、他のガイド部３１〜３３についても同様である。
【００６７】
（３）ガイド部３４は、テーパ部３４１とストレート部３４２とを有しているので、テーパ部３４１によって巻線１１２の端部１１２ｂを挿通孔３４０内に導入しやすくなると共に、ストレート部３４２によって巻線１１２を接続部２４２ｃ内（第１板部２４２ｃ１と第２板部２４２ｃ２との間）に導きやすくなる。つまり、巻線１１２の端部１１２ｂが挿通孔３４０の中心軸に対して傾斜していた場合でも、巻線１１２の端部１１２ｂがストレート部３４２の内面３４２ａに倣うことにより、その傾きが矯正され、開口３４ｂから導出された巻線１１２の端部１１２ｂが、第１板部２４２ｃ１と第２板部２４２ｃ２との間に入りやすくなる。また、ガイド部３４にテーパ３４１が設けられていることにより、ガイド部３４（挿通孔３４０）と巻線１１２の端部１１２ｂとの間にクリアランスができ、例えばガイド部３４と巻線１１２の端部１１２ｂとが多少ずれていても、巻線１１２の端部１１２ｂを挿入可能である。
【００６８】
（４）接続部２４２ｃは、板状の導電体をＵ字状に屈曲して形成されているので、その製造が容易である。また、巻線１１２の端部１１２ｂを挟む第１板部２４２ｃ１と第２板部２４２ｃ２との間の幅ｗ３は、保持部材３の周方向におけるガイド部３４の開口３４ｂの開口幅ｗ４よりも広いので、例えば両者の幅が等しい場合（ｗ３＝ｗ４）、又は幅ｗ３が開口幅ｗ４よりも狭い場合（ｗ３＜ｗ４）に比較して、開口３４ｂから導出された巻線１１２の端部１１２ｂが、第１板部２４２ｃ１と第２板部２４２ｃ２との間に入りやすくなる。
【００６９】
（５）ガイド部３４の開口３４ｂと端子２４２の接続部２４２ｃとの間には、挿通孔３４０の延伸方向に沿った方向における隙間Ｓ１が形成されているので、接続部２４２ｃを加締める際に、接続部２４２ｃ又は加締めのための工具がガイド部３４に干渉することを回避することが可能となる。
【００７０】
［第２の実施の形態］
次に、本発明の第２の実施の形態について図８を参照して説明する。
【００７１】
図８（ａ）は、第２の実施の形態に係る集配電リング１０を示す斜視図である。第１の実施の形態に係る集配電リング１０では、第１乃至第４のバスリング２１〜２４が保持部材３に保持されていたが、本実施の形態に係る集配電リング１０Ａでは、第１乃至第４のバスリング２１〜２４がリング状の保持部材４に樹脂モールドされ、第１のバスリング２１の端子２１１、第２のバスリング２２の端子２２１、第３のバスリング２３の端子２３１、及び第４のバスリング２４の端子２４１〜２４３の一部が保持部材４の内周面４ａから内方に突出している。
【００７２】
この集配電リング１０Ａは、第１の実施の形態に係る集配電リング１０と同様、図１に示すように、ステータ１１に接続されてロータ１２と共に電動機１を構成する。第１乃至第３のバスリング２１〜２３には、その周方向の１箇所に給電電線２１ｂ，２２ｂ，２３ｂが接続され、そのそれぞれの先端部に給電端子２１ｃ，２２ｃ，２３ｃが設けられている。給電端子２１ｃ，２２ｃ，２３ｃは、図略のインバータの出力端子に接続される。
【００７３】
ステータ１１の巻線１１１，１１２，１１３の一方の端部１１１ａ，１１２ａ，１１３ａは、保持部材４の内周面４ａから突出した端子２１１，２２１，２３１の接続部に接続される。また、巻線１１１，１１２，１１３の他方の端部１１１ｂ，１１２ｂ，１１３ｂは、内周面４ａから突出した端子２４１〜２４３の接続部に接続される。
【００７４】
保持部材４は、巻線１１１，１１２，１１３の一方の端部１１１ａ，１１２ａ，１１３ａを端子２１１，２２１，２３１の接続部に案内するガイド部４１，４２，４３を有している。また、保持部材４は、巻線１１１，１１２，１１３の他方の端部１１１ｂ，１１２ｂ，１１３ｂを端子２４１〜２４３の接続部に案内するガイド部４４を有している。
【００７５】
本実施の形態では、ガイド部４１〜４４が同一の形状に形成されているので、端子２４２に対応して設けられたガイド部４４を例にとって詳細に説明する。
【００７６】
図８（ｂ）はガイド部４４の斜視図、図８（ｃ）はガイド部４４の側面図である。
【００７７】
端子２４２は、第１の実施の形態と同様、巻線１１２の端部１１２ｂが接続される接続部２４２ｃが、保持部材４の周方向に互いに対向する平板状の第１板部２４２ｃ１及び第２板部２４２ｃ２と、第１板部２４２ｃ１と第２板部２４２ｃ２との間における円弧状の湾曲部２４２ｃ３とからなる。ガイド部４４は、第１板部２４２ｃ１と第２板部２４２ｃ２との間に巻線１１２の端部１１２ｂを案内する。
【００７８】
ガイド部４４は、テーパ部４４ａとストレート部４４ｂとを有している。テーパ部４４ａは、一対の第１ガイド板４４１からなる。一対の第１ガイド板４４１は、保持部材４の軸方向に対して傾斜して保持部材４の周方向に並んで配置され、内周面４ａに対して直交するように突出している。また、一対の第１ガイド板４４１は、巻線１１２の端部１１２ｂに対向する内面４４１ａ同士の間における第１空間４４０ａ（図８（ｃ）に示す）の幅（保持部材４の周方向の幅）が、ストレート部４４ｂに向かって徐々に狭くなるように形成されている。
【００７９】
ストレート部４４ｂは、一対の第２ガイド板４４２からなる。一対の第２ガイド板４４２は、互いに平行に保持部材４の周方向に並んで配置され、内周面４ａに対して直交するように突出している。また、一対の第２ガイド板４４２は、巻線１１２の端部１１２ｂに対向する内面４４２ａ同士の間の第２空間４４０ｂの幅（保持部材４の周方向の幅）が一定である。また、この第２空間４４０ｂの幅は、テーパ部４４ａにおけるストレート部４４ｂ側の端部における第１空間４４０ａの幅と同一である。内面４４２ａは、保持部材４の軸方向に沿った直線状に形成されている。
【００８０】
一対の第１ガイド板４４１のうちの一方の第１ガイド板４４１と、一対の第２ガイド板４４２のうちの一方の第２ガイド板４４２とは、一体に連続して形成されている。また、他方の第１ガイド板４４１及び他方の第２ガイド板４４２も一体に連続して形成されている。
【００８１】
第１空間４４０ａ及び第２空間４４０ｂからなる挿通空間４４０には、第１空間４４０ａ側から巻線１１２の端部１１２ｂが挿入される。巻線１１２の端部１１２ｂは、第２空間４４０ｂ側から導出され、端子２４２の第１板部２４２ｃ１と第２板部２４２ｃ２との間に案内される。第２空間４４０ｂの幅は、端子２４２の接続部２４２ｃにおける第１板部２４２ｃ１と第２板部２４２ｃ２との間の幅よりも狭く形成されている。
【００８２】
一対の第２ガイド板４４２と端子２４２の接続部２４２ｃとの間には、隙間Ｓ２が形成されている。
【００８３】
本実施の形態によっても、第１の実施の形態について説明した作用及び効果と同様の作用及び効果が得られる。
【００８４】
以上、本発明の実施の形態を説明したが、上記に記載した実施の形態は特許請求の範囲に係る発明を限定するものではない。また、実施の形態の中で説明した特徴の組合せの全てが発明の課題を解決するための手段に必須であるとは限らない点に留意すべきである。
【００８５】
また、本発明は、その要旨を逸脱しない範囲で適宜変形して実施することが可能である。例えば、上記第１の実施の形態では、第４のバスリング２４が複数の円弧状導電体２４Ａから構成される場合について説明したが、これに限らず、第４のバスリング２４が一つの環状の導電体、及びこの導電体に接続された複数の端子から構成されていてもよい。この場合、第４のバスリング２４が銅等の金属からなる導体を絶縁性の樹脂で被覆した断面円形の丸電線であってもよい。
【符号の説明】
【００８６】
１…電動機、３，４…保持部材、４ａ…内周面、１０，１０Ａ…集配電リング、１１…ステータ、１２…ロータ、２１ａ，２２ａ，２３ａ…給電端子、２１〜２４…第１乃至第４のバスリング、２１ｂ，２２ｂ，２３ｂ…給電電線、２１ｃ，２２ｃ，２３ｃ…給電端子、２４Ａ…円弧状導電体、３１〜３４，４１〜４４…ガイド部、３１ａ，３２ａ，３３ａ…給電端子保持部、３４ａ…一方の開口、３４ｂ…他方の開口、３４ｃ…端面、４１，４２，４３，４４…ガイド部、４４ａ…テーパ部、４４ｂ…ストレート部、１１０…ティース、１１１，１１２，１１３…巻線、１１１ａ，１１２ａ，１１３ａ…一方の端部、１１１ｂ，１１２ｂ，１１３ｂ…他方の端部、１２０…ロータコア、１２１…磁石、２１０…電線、２１０，２２０，２３０…電線、２１０ａ，２２０ａ，２３０ａ…導体、２１０ｂ，２２０ｂ，２３０ｂ…絶縁体、２１１，２２１，２３１…端子、２２１ａ…第１の接続部、２２１ｂ…連結部、２２１ｂ１…第１連結部、２２１ｂ２…第２連結部、２２１ｂ３…第３連結部、２２１ｃ…第２の接続部（接続部）、２４０…本体、２４１〜２４３…端子、２４０ａ…屈曲部、２４１ａ，２４２ａ，２４３ａ…第１連結部、２４１ｂ，２４２ｂ，２４３ｂ…第２連結部、２４１ｃ，２４２ｃ，２４３ｃ…接続部、２４２ｃ１…第１板部、２４２ｃ２…第２板部、２４２ｃ３…湾曲部、３００…底壁、３００ａ…底面、３０１…第１の突起、３０２…第２の突起、３０３…第３の突起、３０４…保持溝、３０５…内壁、３０６…外壁、３０７，３０８…区画壁、３１０，３２０，３３０，３４０…挿通孔、３４１…テーパ部、３４１ａ…内面、３４２…ストレート部、３４２ａ…内面、４４０…挿通空間、４４０ａ…第１空間、４４０ｂ…第２空間、４４１…第１ガイド板、４４１ａ…内面、４４２…第２ガイド板、４４２ａ…内面、Ｓ１，Ｓ２…隙間
【図１】
2014003842.tif 000003
【図２】
2014003842.tif 000004
【図３】
2014003842.tif 000005
【図４】
2014003842.tif 000006
【図５】
2014003842.tif 000007
【図６】
2014003842.tif 000008
【図７】
2014003842.tif 000009
【図８】
2014003842.tif 000010